(57)【特許請求の範囲】
【請求項１】
テレビカメラによって撮影した映像信号を出力する少なくとも２つのカメラ付きドアホン子機と、映像信号を入力してカメラ付きドアホン子機にて撮影された映像を映し出すテレビ付きインターホン親機と、を備え、
テレビ付きインターホン親機及びカメラ付きドアホン子機間をそれぞれ２線ケーブルによって接続し、テレビ付きインターホン親機がカメラ付きドアホン子機へ電源供給するとともにバックトーン報知制御を行うテレビドアホンシステムにおいて、
前記カメラ付きドアホン子機は、第１の電源電圧値に基づいて通話回路の起動制御をおこなう第一電源検出スイッチと、第２の電源電圧値に基づいて映像回路の起動制御をおこなう第二電源検出スイッチと、を有し、
前記テレビ付きインターホン親機が、前記カメラ付きドアホン子機の一のカメラ付きドアホン子機との通話時において他のカメラ付きドアホン子機からの呼び出し信号を入力したときに、呼出操作のなされた他のカメラ付きドアホン子機への電源供給電圧を変化させて前記第一電源検出スイッチを制御し呼出操作のなされた他のカメラ付ドアホン子機の通話回路を起動させるとともに、呼出操作のなされた他のカメラ付ドアホン子機に向けてバックトーン報知出力をおこなうことを特徴とするテレビドアホンシステム。
【請求項２】
前記第一電源検出スイッチを、前記カメラ付きドアホン子機が前記テレビ付きインターホン親機を呼び出すための呼出スイッチの操作と連動し自己保持する構成としたことを特徴とする請求項１記載のテレビドアホンシステム。
【請求項３】
テレビカメラによって撮影した映像信号を出力する少なくとも２つのカメラ付きドアホン子機と、映像信号を入力してカメラ付きドアホン子機にて撮影された映像を映し出すテレビ付きインターホン親機と、を備え、
テレビ付きインターホン親機及びカメラ付きドアホン子機間をそれぞれ２線ケーブルによって接続し、テレビ付きインターホン親機がカメラ付きドアホン子機へ電源供給するとともにバックトーン報知制御を行うテレビドアホンシステムにおいて、
前記カメラ付きドアホン子機は、カメラ付きドアホン子機が前記テレビ付きインターホン親機を呼び出すための呼出スイッチの操作に連動して一定時間のみ通話回路を動作させ得る通話回路起動制御用の第一電源検出スイッチと、第２の電源電圧値に基づいて映像回路の起動制御をおこなう第二電源検出スイッチと、を有し、
前記テレビ付きインターホン親機が、前記カメラ付きドアホン子機の一のカメラ付きドアホン子機との通話時において他のカメラ付きドアホン子機からの呼び出し信号を入力したときに、該他のカメラ付ドアホン子機への電源供給電圧を呼び出し待機状態の供給電圧を維持するとともに、該他のカメラ付ドアホン子機に向けてバックトーン報知出力をおこなうことを特徴とするテレビドアホンシステム。
【発明の詳細な説明】
【０００１】
【発明の属する技術分野】
本発明は、テレビ付きインターホン親機とカメラ付きドアホン子機とが２線によって接続されたテレビドアホンシステムに関する。
【０００２】
【従来の技術】
カメラ付きドアホン子機（以下、カメラ子機と称する）のテレビカメラによって撮影した映像をテレビ付きインターホン親機（以下、テレビ親機と称する）のモニターテレビに映し出し、来訪者の映像を確認して通話を行うテレビドアホンシステムにおいて、図５及び図６に示すような、カメラ子機及びテレビ親機間の接続を簡略化するために２線ケーブルによって接続するもので、複数のカメラ子機１Ａ、１Ｂ、１Ｃ、…を接続できるものが提案されている。このテレビドアホンシステムにおいては、テレビ親機２はそれぞれのカメラ子機１Ａ、１Ｂ、１Ｃ、…に２線ケーブルとしての２線平衡ケーブルＷを介して電源供給するが、電源供給における給電直流電圧に、音声信号や映像信号を重畳する多重化伝送に制御信号も多重化し、テレビ親機２及びカメラ子機１Ａ、１Ｂ、１Ｃ、…間の通話等の動作制御をしている。
【０００３】
上記の通話動作の制御は、図６に示すように、例えば２つのカメラ子機１Ａ、１Ｂが、テレビ親機２に設けられた給電回路２３１、２３１からの給電を制御するスイッチ回路２４ｄがマイコンによって制御されて行われる。詳しくは、マイコンは、通常の待機状態においては、カメラ子機側の映像回路や音声回路が不動作となるとともに、呼出信号発生回路の呼出スイッチの閉操作などのみ検出し得る程度の低い電圧として例えば大略６Ｖの待機電圧Ｖｓｔが、呼出検出回路をもった待機時給電回路２３２から出力され、動作時の通話状態においては、映像回路や通話回路を作動するために、待機電圧Ｖｓｔより高い電圧値である例えば大略１４Ｖの通話動作電圧ＶＬが、給電回路２３１、２３１からそれぞれの端子Ｔ１、Ｔ２に出力されて２線の回線間に印加され、テレビ親機２からカメラ子機１Ａ、１Ｂに向けて給電されるものである。また、テレビ親機２においては、カメラ子機１Ａ、１Ｂからの呼出が待機時給電回路２３２に設けられた呼出検出回路にて検出され、トーン発生回路２５からバックトーン報知音が、呼び出し信号が送出されたカメラ子機に向けて返送されるように切換回路２４ｂが制御されて出力される。
【０００４】
カメラ子機１Ａ、１Ｂにおいては、それぞれ、テレビカメラ１１１によって撮影した映像信号を出力する為の映像回路１１２と、カメラ子機１Ａ、１Ｂからの通話音声をテレビ親機２へ出力したりバックトーン報知音を出力するための通話回路と、通話音声及びバックトーン報知音の音声信号を音響信号に変換するためのスピーカ１２１、及びマイク１２２と、呼出スイッチの押下に伴い呼び出し信号を出力する呼出信号発生回路をもった呼出回路１６と、テレビ親機２の給電回路２３１によって多重化伝送される給電用直流電圧を子器内部の電源に使用出来るよう変換を行う受電部１３と、待機時に映像回路１１２と通話回路１２３とを動作を停止するための電圧スイッチ１４と、を備えている。なお、電圧スイッチ１４は、カメラ子機１Ａ、１Ｂ側の端子電圧に対応して受電部１３と映像回路１１２及び通話回路１２３とを接続するためのもので、待機状態の、テレビ親機２から給電される待機電圧Ｖｓｔにおいては開路状態で、カメラ動作時など通話状態の、テレビ親機２から給電される通話動作電圧ＶＬにおいては閉路状態となる動作を行うスイッチ回路で、この電圧スイッチ１４によって、待機状態においてはカメラ子機１Ａ、１Ｂの映像回路１１２と通話回路１２３との動作を停止させて無駄な電流消費を抑えることができる。
【０００５】
上記のテレビドアホンシステムの動作は、来訪者が、図５に示す、呼出スイッチの押下をおこなう呼出釦ＳＷＢを押下操作したとき、テレビ親機２の上記呼出検出回路によりマイコン２４１が呼出を検知する。すると、マイコン２４１は、呼出しがなされたカメラ子機側の映像回路１１２と通話回路１２３を動作させるためのスイッチ回路２４ｄ、２４ｄのいずれかのスイッチ回路２４ｄを閉路して呼出しがなされたカメラ子機側へ一方の給電回路２３１から電源供給する。このとき、呼出しがなされたカメラ子機側の回線間の端子電圧は、待機電圧Ｖｓｔから通話動作電圧ＶＬに変化する。呼出しがなされたカメラ子機は、この端子電圧の上昇によって電圧スイッチ１４が開路状態から閉路状態に移行し、映像回路１１２と通話回路１２３とに電源供給される。次いで、テレビ親機２は、カメラ子機から呼び出し操作があったことを室内へ伝えるために、テレビ親機２のスピーカから報知信号としてのチャイム音などの報知音を鳴動出力させ、また同時に、呼出しがなされたカメラ子機側にて、呼出釦ＳＷＢを押下操作した来訪者がテレビドアホンシステムの呼出し動作を確認できる様に、呼出しがなされたカメラ子機のスピーカ１２１からバックトーン報知信号としてのチャイム音などの報知音を鳴動出力させる。
【０００６】
上記のバックトーン報知は、たとえばカメラ子機Ａから呼び出し操作がなされたとき、まず、テレビ親機２のカメラ子機Ａ側のスイッチ回路２４ｄがカメラ子機Ａの端子Ｔ１に接続され、次いで、トーン発生回路２５にて生成された報知信号が切換回路２４ｂを通じてカメラ子機Ａへ伝送され、カメラ子機Ａの通話回路１２３にてこの報知信号が増幅されてスピーカ１２１が鳴動されなされるもので、このバックトーン報知により、来訪者は呼出しの操作がテレビドアホンシステムに入力されて、テレビドアホンシステムの呼出し動作がなされたことを確認できる。バックトーン報知信号の送出が終了すると、その後、切換回路２４ｂは直ちに開路し、テレビ親機２側の居住者がテレビ親機のハンドセット２２１を取り上げることにより通話が出来る。
【０００７】
また、上記のテレビドアホンシステムは、例えばカメラ子機Ｂ側と通話しているときにカメラ子機Ａ側から呼び出された場合、カメラ子機Ａ側のスイッチ回路２４ｄがカメラ子機Ａ側の端子Ｔ１に接続され、上記と同じく、カメラ子機Ａに対して電源供給がなされ、次いで、トーン発生回路２５の切換回路２４ｂをＴ１側へ接続され、バックトーン報知が行われる。
【０００８】
【発明が解決しようとする課題】
ところで、上記の、複数のカメラ子機を接続できるテレビドアホンシステムの構成においては、テレビ親機２はそれぞれのカメラ子機に電源を供給するため、上記したように複数の、映像回路１１２と通話回路１２３との動作させる給電回路２３１を搭載する必要がある。また、給電用直流電圧に音声信号、映像信号及び制御信号を重畳する多重化回路も複雑な回路構成となり、その結果、テレビ親機がコストの高いものとなっていた。さらに、最近、カメラ子機の接続台数のさらに多いテレビドアホンシステムへの要望もあり、そのときテレビ親機２は、所定のハウジングケースに回路全体が収納できず電源装置を別に設けたり、給電回路を１つしか搭載しないものを提案したりしていた。しかし上記の給電回路２３１が１つのものは、一のカメラ子機が通話状態のときに、他のカメラ子機から呼出し操作を行った場合には、テレビ親機は、呼び出されたカメラ子機に対して通話回路を動作させてバックトーン報知をすることができず、その結果、来訪者が、呼出しの操作がテレビドアホンシステムに入力されて、テレビドアホンシステムの呼出し動作がなされたことが確認できない不具合が生じていた。
【０００９】
本発明は、上記事由に鑑みてなしたもので、その目的とするところは、複数のカメラ子機を接続して、簡単で小型の回路構成にてバックトーン報知を確実に行うことの出来るテレビドアホンシステムを提供することにある。
【００１０】
【課題を解決するための手段】
上記目的を達成するために、請求項１記載のテレビドアホンシステムは、テレビカメラによって撮影した映像信号を出力する少なくとも２つのカメラ付きドアホン子機と、映像信号を入力してカメラ付きドアホン子機にて撮影された映像を映し出すテレビ付きインターホン親機と、を備え、テレビ付きインターホン親機及びカメラ付きドアホン子機間をそれぞれ２線ケーブルによって接続し、テレビ付きインターホン親機がカメラ付きドアホン子機へ電源供給するとともにバックトーン報知制御を行うテレビドアホンシステムにおいて、前記カメラ付きドアホン子機は、第１の電源電圧値に基づいて通話回路の起動制御をおこなう第一電源検出スイッチと、第２の電源電圧値に基づいて映像回路の起動制御をおこなう第二電源検出スイッチと、を有し、前記テレビ付きインターホン親機が、前記カメラ付きドアホン子機の一のカメラ付きドアホン子機との通話時において他のカメラ付きドアホン子機からの呼び出し信号を入力したときに、呼出操作のなされた他のカメラ付きドアホン子機への電源供給電圧を変化させて前記第一電源検出スイッチを制御し呼出操作のなされた他のカメラ付ドアホン子機の通話回路を起動させるとともに、呼出操作のなされた他のカメラ付ドアホン子機に向けてバックトーン報知出力をおこなうこととしている。これにより、テレビ付きインターホン親機は、カメラ付きドアホン子機の一のカメラ付きドアホン子機との通話時において他のカメラ付きドアホン子機からの呼び出し信号を入力したときに、呼出操作のなされた他のカメラ付きドアホン子機への電源供給電圧を変化させて、呼出操作のなされたカメラ付ドアホン子機の第１の電源電圧値に基づいて通話回路の起動制御をおこなう第一電源検出スイッチを制御し、そのカメラ付ドアホン子機の通話回路を起動させるとともに、そのカメラ付ドアホン子機に向けてバックトーン報知出力をおこなうものとなる。
【００１１】
また、請求項２記載のテレビドアホンシステムは、請求項１記載の第一電源検出スイッチを、前記カメラ付きドアホン子機が前記テレビ付きインターホン親機を呼び出すための呼出スイッチの操作と連動し自己保持する構成としている。これにより、バックトーン報知出力は、カメラ付きドアホン子機がテレビ付きインターホン親機を呼び出すための呼出スイッチの操作と連動し自己保持する第一電源検出スイッチを介して電源供給される通話回路が起動されておこなわれるものとなる。
【００１２】
また、請求項３記載のテレビドアホンシステムは、テレビカメラによって撮影した映像信号を出力する少なくとも２つのカメラ付きドアホン子機と、映像信号を入力してカメラ付きドアホン子機にて撮影された映像を映し出すテレビ付きインターホン親機と、を備え、テレビ付きインターホン親機及びカメラ付きドアホン子機間をそれぞれ２線ケーブルによって接続し、テレビ付きインターホン親機がカメラ付きドアホン子機へ電源供給するとともにバックトーン報知制御を行うテレビドアホンシステムにおいて、前記カメラ付きドアホン子機は、カメラ付きドアホン子機が前記テレビ付きインターホン親機を呼び出すための呼出スイッチの操作に連動して一定時間のみ通話回路を動作させ得る通話回路起動制御用の第一電源検出スイッチと、第２の電源電圧値に基づいて映像回路の起動制御をおこなう第二電源検出スイッチと、を有し、前記テレビ付きインターホン親機が、前記カメラ付きドアホン子機の一のカメラ付きドアホン子機との通話時において他のカメラ付きドアホン子機からの呼び出し信号を入力したときに、該他のカメラ付ドアホン子機への電源供給電圧を呼び出し待機状態の供給電圧を維持するとともに、該他のカメラ付ドアホン子機に向けてバックトーン報知出力をおこなうこととしている。これにより、テレビ付きインターホン親機は、カメラ付きドアホン子機の一のカメラ付きドアホン子機との通話時において他のカメラ付きドアホン子機からの呼び出し信号を入力したときに、該他のカメラ付ドアホン子機への電源供給電圧を呼び出し待機状態の供給電圧を維持するとともに、該他のカメラ付きドアホン子機に向けてバックトーン報知出力をおこなうものとなる。
【００１３】
【発明の実施の形態】
以下、本発明のテレビドアホンシステムの第１の実施の形態を図１乃至図３に基づいて、第２の実施の形態を図４に基づいて、それぞれ説明する。
【００１４】
［第１の実施の形態］
図１は、第１の実施の形態のテレビドアホンシステムの構成図である。図２は、図１に示すテレビドアホンシステムの要部である、カメラ付きドアホン子機の第一電圧スイッチの構成図である。図３は、図１に示すテレビドアホンシステムの要部である、テレビ付きインターホン親機の第二給電回路の構成図である。
【００１５】
このテレビドアホンシステムは、従来例にて説明したものと同様に、テレビカメラによって撮影した映像信号を出力するカメラ子機１Ａ、１Ｂと、映像信号を入力しカメラ子機１Ａ、１Ｂにて撮影された映像を映し出すテレビ親機２と、を備えている。そして、テレビ親機２及びカメラ子機１間を２線ケーブルとしての２線平衡ケーブルＷによって接続して構成され、テレビ親機２がカメラ子機１Ａ、１Ｂへ電源供給するとともにバックトーン報知制御を行う。なお、本発明は、この一システム構成のみに限定するものでなく、カメラ子機は、例えば３個のものが接続されるものであっても良い。なお、カメラ子機１Ａ、１Ｂは同一のもので、以降、カメラ子機１と称する。
【００１６】
カメラ子機１は、例えば玄関等に設置されるもので、映像部１１と、後述するテレビ親機２との通話を行う通話部１２と、カメラ子機１の内部回路用電源生成のための受電部１３と、第一電圧スイッチ１４と、映像回路の起動制御をおこなう第二電圧スイッチ１５と、呼出回路１６と、を有し、これらはいずれも端子１７に接続されている。
【００１７】
映像部１１は、来訪者を撮影し映像信号を出力するもので、撮影した映像信号を出力するテレビカメラ１１１と、テレビカメラ１１１からの映像信号を、例えば所定周波数のＦＭ信号にＦＭ変調する映像回路１１２とを有している。
【００１８】
通話部１２は、受話音声等を出力するスピーカ１２１と、送話音声を入力し電気音声信号に変換するマイク１２２と、音声信号を増幅しスピーカ１２１を駆動するためのスピーカアンプ、マイク１２２からの音声信号を増幅するためのマイクアンプ、送話及び受話の音声信号を一対の配線によって伝送するために４線配線を２線配線に変換する音声４線２線変換回路などをもった通話回路１２３とを有している。
【００１９】
受電部１３は、上記の音声信号や映像信号に影響を与えることなく後述するテレビ親機２から直流電源を得るためのもので、端子１７からみた入力インピーダンスを所定の値に変換するためのインピーダンス変換回路、上記の映像回路１１２及び通話回路１２３などに電源を供給するための安定化電源を有している。
【００２０】
第一電圧スイッチ１４は、通話回路１２３の起動制御をおこなう第一電源検出スイッチに相当するもので、端子１７へ印加される電源入力電圧の大きさを検出して通話回路１２３側への電源供給のオン／オフをおこなう。この第一電圧スイッチ１４は、カメラ子機１の端子１７へ印加される電源入力電圧が所定の第１の電源電圧値Ｖ１（例えば９Ｖ）以上であるときに、これを検出して通話回路１２３への電源供給をおこなう。詳しくは、図２に示すように、受電部１３からの電源出力をスイッチするトランジスタスイッチＱ１、第一電圧スイッチ１４の出力電圧により自己保持するためのツェナーダイオードＺＤ１、自己保持するときにトランジスタスイッチＱ１をオンさせるためのトランジスタスイッチＱ２、後述する呼出回路１６の呼出スイッチＳＷからの信号逆流防止用のダイオードＤ１、トランジスタスイッチＱ２の、ベース電流を制限するための抵抗Ｒ１及びノイズ電圧吸収用のコンデンサＣ１、を有している。また、このツェナーダイオードＺＤ１のツェナー電圧は、受電部１３からの電源出力が後述するバックトーン送出時電圧Ｖｂｋ以下、待機電圧Ｖｓｔ以上の所定の電圧値Ｖ３にてトランジスタスイッチＱ２をオフするように動作点が設定されている。その結果、この第一電圧スイッチ１４は、カメラ子機１の端子１７へ印加される電源入力電圧が所定の第１の電源電圧値Ｖ１以上であるときこれを検出して通話回路１２３へ電源供給をおこなうとともに所定の電源電圧値Ｖ３以下においては通話回路１２３への電源供給を停止させる。
【００２１】
第二電圧スイッチ１５は、映像回路１１２の起動制御をおこなう第二電源検出スイッチに相当するもので、端子１７へ印加される電源入力電圧の大きさを検出して映像回路１１２側へ電源供給のオン／オフをおこなう。この第二電圧スイッチ１５は、カメラ子機１の端子１７へ印加される電源入力電圧が所定の第２の電源電圧値Ｖ２（例えば１５Ｖ）以上であるときに、これを検出して映像回路１１２への電源供給をおこなう。
【００２２】
なお、上記の所定の電源電圧値Ｖ１、Ｖ２及びＶ３は、テレビ親機２から電源供給されるカメラ子機１の端子１７への印加電圧を、待機時は待機電圧Ｖｓｔ、通話時は通話動作電圧ＶＬ、通話状態にて他のカメラ子機へのバックトーン送出時はバックトーン送出時電圧Ｖｂｋとするとき、Ｖｓｔ、ＶＬ、Ｖｂｋとの関係を、Ｖｓｔ＜Ｖ１＜Ｖｂｋ＜Ｖ２＜ＶＬとなるように設定している。また、Ｖ３は、Ｖｓｔ＜Ｖ３＜Ｖｂｋとなるように設定している。
【００２３】
呼出回路１６は、テレビ親機２を呼び出すためのもので、図２に示すように、呼出スイッチＳＷと、逆流防止用のダイオードＤ２、及び図示していない呼出信号発生回路とを有している。この呼出回路１６は、前記第一電圧スイッチ１４のトランジスタスイッチＱ２に並列に接続されている、呼出スイッチＳＷが閉路操作されたときに、呼出信号発生回路からテレビ親機２を呼び出すための呼出信号を発生する。
【００２４】
テレビ親機２は、例えば台所等住宅の居室内に設置されるもので、映像部２１と、カメラ子機１との通話を行うための通話部２２と、電源部２３と、制御部２４と、バックトーン報知信号を生成するトーン発生回路２５と、有している。
【００２５】
映像部２１は、映像信号を入力して映像を映し出すもので、カメラ子機１にて撮影された映像を映し出すテレビモニタを有するテレビ回路部２１１と、カメラ子機１から入力されるＦＭ変調された映像信号を所定の信号レベルに増幅し復調する映像回路２１２とを有している。
【００２６】
通話部２２は、受話音声等を出力するスピーカ及び送話音声を入力し電気音声信号に変換するマイクを有しているハンドセット２２１と、音声信号を増幅しハンドセット２２１のスピーカを駆動するためのスピーカアンプ、ハンドセット２２１のマイクからの音声信号を増幅するためのマイクアンプ、一対の配線によって伝送されて入力された送話及び受話の音声信号の２線配線を４線配線に変換する音声２線４線変換回路をもっている通話回路２２２とを有している。
【００２７】
電源部２３は、テレビ親機２の内部回路用及びカメラ子機１への給電用の電源生成のための給電回路２３１と、待機時給電回路２３２と、第二給電回路２３３とを有している。待機時給電回路２３２は、待機状態にてカメラ子機１へ電源供給を行うためのもので、このものにおいては、カメラ子機１からの呼出信号を入力して後述する制御部２４へ呼出検出結果信号を出力する呼出検出回路をもっている。第二給電回路２３３は、前記カメラ子機１の第一電圧スイッチ１４を制御してカメラ子機１の通話回路１２３を起動させて電源供給するためのもので、テレビ親機２と、前記カメラ子機１の一のカメラ子機１、例えばカメラ子機１Ａとの通話時に、他のカメラ子機１であるカメラ子機１Ｂからの呼び出し信号にてカメラ子機１Ｂへの電源供給を行なう。この電源供給の電圧値は、カメラ子機１からの呼出しに対してトーン発生回路２５からバックトーン報知信号を返送する際に、他のカメラ子機１の通話回路１２３が、スピーカ１２１を駆動してバックトーンの音声信号を鳴動させるために必要な電流のみを供給できるバックトーン送出時電圧Ｖｂｋで、映像回路１１２を駆動できる供給能力はもっていない。すなわち、例えば、カメラ子機１全体の消費電流の大略２５０ｍＡに対して、大略３０ｍＡ程度の電流を供給すれば良い。従ってこの第二給電回路２３３は、図３の構成例にて示すように、給電回路２３１からの高電圧の電源回路から、所定の抵抗値をもっている抵抗Ｒ２を介してカメラ子機１Ａ、１Ｂの端子１７へ接続するのみにて形成している。
【００２８】
制御部２４は、テレビ親機２の内部制御及びカメラ子機１の動作状態を制御するもので、このものにおいては、例えばワンチップマイクロコンピュータであるマイコン２４１を主体に構成され、上記の動作制御を、上記電源部２３などからカメラ子機１Ａ、１Ｂのそれぞれへの供給電源の出力先である端子Ｔ１、Ｔ２への接続切替を行う切替手段である切換回路２４ａ、２４ｂ、２４ｃを制御して行っている。またマイコン２４１は、その内部記憶部に記憶された所定の動作手順を規定するプログラムに基づいて、２線平衡ケーブルＷ、Ｗの電源電圧変化によってカメラ子機１Ａ、１Ｂの呼出スイッチＳＷが操作されたことを検出する、前記待機時給電回路２３２の呼出検出回路からの呼出検出結果信号入力にて、カメラ子機１Ａ、１Ｂからの呼出を監視している。
【００２９】
以上説明したテレビドアホンシステムは、テレビ親機２が、前記カメラ子機１の一のカメラ子機１、例えばカメラ子機１Ａとの通話時において他のカメラ子機１としてのカメラ子機１Ｂからの呼び出し信号を入力したときに、呼出操作のなされたカメラ子機１Ｂ子機への電源供給電圧を変化させて、前記第一電圧スイッチ１４を制御しカメラ子機１Ｂの通話回路１２３を起動させるとともに、カメラ子機１Ｂに向けてバックトーン報知出力をおこなう。
【００３０】
詳しくは、まず、すべてのカメラ子機１が待機状態であるときには、テレビ親機２の切換回路２４ａ、２４ｂは、どちら側へも倒れておらずに中立の状態を維持しており、カメラ子機１の端子１７、１７には、待機時給電回路２３２から待機電圧Ｖｓｔが印加されている。このとき、来訪者がカメラ子機１Ａ側の呼出スイッチＳＷの呼出釦を押操作した場合に、カメラ子機１Ａの呼出回路１６から呼出信号が出力され、この呼出信号がテレビ親機２の待機時給電回路２３２の呼出検出回路によって検出され、呼出検出結果信号がマイコン２４１へ入力される。すると、マイコン２４１にて切換回路２４ａが端子Ｔ１側に倒され、給電回路２３１からカメラ子機１Ａに給電が開始される。この給電にて、カメラ子機１Ａ側の端子１７の端子電圧は、待機電圧Ｖｓｔから通話動作電圧ＶＬに上昇するため、カメラ子機１Ａ側の第一電圧スイッチ１４と第二電圧スイッチ１５とがオン状態となり、通話回路１２３と映像回路１１２とが起動される。そして、その後直ちにテレビ親機２のマイコン２４１は、切換回路２４ｂを端子Ｔ１側に倒してトーン発生回路２５にて生成されたチャイム音などの報知音をカメラ子機１Ａの端子１７へ向けて送出する。カメラ子機１Ａは、この報知音の音声信号を通話回路１２３を通じてバックトーンとしてスピーカ１２１を鳴動させる。そしてさらに、テレビ親機２側の居住者がテレビ親機２のハンドセット２２１を取り上げることにより、カメラ子機１との映像を確認して通話を行うことができる。なお、切換回路２４ｂは、上記の報知音の端子１７へ向けての送出が終了したのちすぐにオフして、どちらにも接続されない中立の状態にある。
【００３１】
次に、１台のカメラ子機１がテレビ親機２と通話を行っているときに、他のカメラ子機１から呼出しがあった場合の動作について述べる。いま、例えば、上記と同様の一連の動作にて、図１に示す、テレビ親機２と端子Ｔ２側に接続しているカメラ子機１Ｂとが通話状態にあるときに、切換回路２４ａは端子Ｔ２側に倒れ、切換回路２４ｂはどちらにも接続されない中立の状態にある。そして、カメラ子機１Ｂには給電回路２３１から通話動作電圧ＶＬが、カメラ子機１Ａには待機時給電回路２３２からＶｓｔが供給されている。
【００３２】
この状態でカメラ子機１Ａの呼出スイッチＳＷの呼出釦ＳＷＢを押操作すると、前述のようにカメラ子機１Ａから呼出信号が出力され、この呼出信号がテレビ親機２の待機時給電回路２３２の呼出検出回路によって検出され、呼出検出結果信号がマイコン２４１へ入力される。すると、トーン発生回路２５にて生成された報知音をカメラ子機１Ａの端子１７へ向けて送出するため、マイコン２４１にて、第二給電回路２３３の出力に接続された切換回路２４ｃをオンするとともに切換回路２４ｂを端子Ｔ１側に倒して直流を重畳した報知音の音声信号をカメラ子機１Ａへ伝送する。このとき、第二給電回路２３３にて供給される、カメラ子機１Ａの端子１７の端子電圧はバックトーン送出時電圧Ｖｂｋであり、この端子電圧においては、前述の条件より、映像回路１１２側の第二電圧スイッチ１５はオフしたままで、第一電圧スイッチ１４のみがオンして通話回路１２３のみに電源電圧が印加される。また、カメラ子機１Ａの第一電圧スイッチ１４は、呼出スイッチＳＷの呼出釦ＳＷＢの押操作によりオンし、その後、カメラ子機１Ａの端子電圧がバックトーン送出時電圧Ｖｂｋであることによりオン状態を自己保持している。その結果、テレビ親機２により伝送された報知音の音声信号が、通話回路１２３を通じてバックトーンとしてスピーカ１２１を鳴動させる。
【００３３】
その後、テレビ親機２側の図示していない通話スイッチを押操作することにより、テレビ親機２にてカメラ子機１Ａとの映像を確認して通話を行う状態に移行した場合には、カメラ子機１Ａの端子１７の端子電圧は、バックトーン送出時電圧Ｖｂｋから通話動作電圧ＶＬに変化する。また、通話終了後は待機状態の待機電圧Ｖｓｔへと変化する。なお、第一電圧スイッチ１４は、待機電圧Ｖｓｔからバックトーン送出時電圧Ｖｂｋの間の所定の電源電圧値Ｖ３にてオフする様に設定されているため、待機状態ではオフして通話回路１２３への電源の供給が自動的に停止される。
【００３４】
なお、第一電圧スイッチ１４の動作を詳しく説明すると、待機状態においては、トランジスタスイッチＱ１はオフしており、通話回路１２３へ電源は供給されない。呼出スイッチＳＷの呼出釦ＳＷＢを押操作された場合、ダイオードＤ１を通じてトランジスタスイッチＱ１へベース電流が流れるために、トランジスタスイッチＱ１はオンしてコレクタ側に電圧が発生する。また、このときテレビ親機２は、カメラ子機１Ａの端子電圧をバックトーン送出時電圧Ｖｂｋに上昇させる。この端子電圧の上昇によりトランジスタスイッチＱ２は、ツェナーダイオードＺＤ１と抵抗Ｒ１を通じてベース電流が供給されるためオンし、トランジスタスイッチＱ１のベース電流を流す。このベース電流により、呼出スイッチＳＷの呼出釦ＳＷＢを押操作された後は端子電圧がバックトーン送出時電圧Ｖｂｋ以上であれば、第一電圧スイッチ１４が自己保持状態を継続する。
【００３５】
その後、テレビ親機２が待機状態へ移行するために端子電圧を待機電圧Ｖｓｔへ下げたときには、ツェナーダイオードＺＤ１の両端に加わる電圧がツェナー電圧である所定の電源電圧値Ｖ３以下になることによりトランジスタスイッチＱ２のベース電圧が低下し、その結果、トランジスタスイッチＱ２、Ｑ１が共にオフ状態となる。この動作により、待機状態においてはカメラ子機１の通話回路１２３は動作停止状態となる。
【００３６】
以上説明したテレビドアホンシステムによると、テレビ親機２は、カメラ子機１の一のカメラ子機１との通話時において他のカメラ子機１からの呼び出し信号を入力したときに、呼出操作のなされた他のカメラ子機１への電源供給電圧を変化させて、呼出操作のなされた他のカメラ子機１の第１の電源電圧値に基づいて通話回路１２３の起動制御をおこなう第一電圧スイッチ１４を制御し、呼出操作のなされた他のカメラ子機１の通話回路１２３起動させるとともに、呼出操作のなされた他のカメラ子機１に向けてバックトーン報知出力をおこなうものとなるので、給電回路２３１が１つの場合においても、複数のカメラ子機１に対してバックトーンを発生させることが出来、以て、簡単で小型の回路構成にてバックトーン報知を確実に行うことが出来て、給電回路を複数持つ方式に比して大幅に回路を低コスト化出来る。また、バックトーン報知出力は、カメラ子機１がテレビ親機２を呼び出すための呼出スイッチＳＷの操作と連動し自己保持する第一電圧スイッチ１４を介して電源供給される通話回路１２３が起動されておこなわれるものとなるので、テレビ親機２からの供給電圧の上昇を待たずに、バックトーン報知出力のための切換回路２４ｂ、２４ｃを接続させることが可能となり、バックトーンの返送をより早く行うことができて呼出スイッチＳＷの操作の違和感のないものとなる。
【００３７】
［第２の実施の形態］
図４は、第２の実施の形態のテレビドアホンシステムの構成図である。
【００３８】
このテレビドアホンシステムは、カメラ子機１の通話回路１２３の起動制御とテレビ親機２の電源供給の構成とが第１の実施の形態と異なるもので、他の構成部材は第１の実施の形態のものと同一である。そして、テレビ親機２が、前記カメラ子機１の一のカメラ子機１との通話時において他のカメラ子機１からの呼び出し信号を入力したときに、該他のカメラ子機１への電源供給電圧を呼び出し待機状態の供給電圧を維持するとともに、該他のカメラ子機１に向けてバックトーン報知出力をおこなうこととしている。
【００３９】
詳しくは、このもののカメラ子機１は、図４に示すように、通話回路１２３の起動制御用の第一電源検出スイッチ１８が、図２に示す第１の実施の形態のものの第一電圧スイッチ１４と、この第一電圧スイッチ１４への操作入力である呼出スイッチＳＷに並設されたタイマー回路１８１とによって構成されている。タイマー回路１８１は、呼出スイッチＳＷの押操作の信号によりタイマーを起動させ、テレビ親機２側からのバックトーン報知出力の送出期間中の所定の時間（例えば約３秒間）だけ第一電圧スイッチ１４をオンする機能をもった回路である。また、第一電圧スイッチ１４は、前記したように電源電圧の検出値に基づいて通話回路１２３の起動制御をおこなうが、その動作閾値は、カメラ子機１の端子１７の端子電圧が通話動作電圧ＶＬから待機電圧Ｖｓｔの間に設定されており、通話動作電圧ＶＬの印加時にはでオン、待機電圧Ｖｓｔの印加時にはオフする。
【００４０】
以上説明したテレビドアホンシステムは、まず、すべてのカメラ子機１が待機状態であるときに、テレビ親機２の切換回路２４ａ、２４ｂは、どちら側へも倒れておらずに中立の状態を維持しており、カメラ子機１の端子１７、１７には、待機時給電回路２３２から待機電圧Ｖｓｔが印加されている。このとき、来訪者がカメラ子機１Ａ側の呼出スイッチＳＷの呼出釦ＳＷＢを押操作した場合に、カメラ子機１Ａの呼出回路１６により呼出信号が出力され、この呼出信号により、タイマー回路１８１が起動して第一電圧スイッチ１４がオンする。このタイマー回路１８１は、テレビ親機２側からのバックトーン報知出力の送出期間中、第一電圧スイッチ１４をオンし続ける。従って、その間にテレビ親機２により伝送された報知音の音声信号は、通話回路１２３によりバックトーンとしてスピーカ１２１を鳴動させることが出来、その後のタイマー回路１８１の停止した以降では第一電圧スイッチ１４はオフするために、待機状態では通話回路１２３は動作しないものとなる。
【００４１】
また、上記の呼出信号は、テレビ親機２の待機時給電回路２３２の呼出検出回路によって検出され、呼出検出結果信号がマイコン２４１へ入力される。すると、マイコン２４１にて切換回路２４ａが端子Ｔ１側に倒されて、給電回路２３１からカメラ子機１Ａに給電が開始される。この給電にて、カメラ子機１Ａ側の端子１７の端子電圧は、待機電圧Ｖｓｔから通話動作電圧ＶＬに上昇し、テレビ親機２が通話を行おうとしてさらに、テレビ親機２側の図示していない通話スイッチを押操作した場合には、第一電圧スイッチ１４は通話動作電圧ＶＬを検出してオン状態となるため、通話回路１２３へ電源を供給することが出来てテレビ親機２との通話が可能となる。
【００４２】
以上説明したテレビドアホンシステムによると、テレビ親機２は、カメラ子機１の一のカメラ子機１との通話時において他のカメラ子機１からの呼び出し信号を入力したときに、該他のカメラ子機１への電源供給電圧を呼び出し待機状態の供給電圧を維持するとともに、該他のカメラ子機１に向けてバックトーン報知出力をおこなうものとなるので、テレビ親機２側にてバックトーン報知出力時に給電回路２３１を切り替える必要がないため、マイコン２４１による制御プログラムが単純となって開発コストの低減が図れ、またさらに、テレビ親機２側にバックトーン報知出力用に別の給電回路を用意する必要がなく、テレビ親機２をより安価に構成することが出来る。
【００４３】
【発明の効果】
請求項１記載のテレビドアホンシステムは、テレビ付きインターホン親機は、カメラ付きドアホン子機の一のカメラ付きドアホン子機との通話時において他のカメラ付きドアホン子機からの呼び出し信号を入力したときに、呼出操作のなされた他のカメラ付きドアホン子機への電源供給電圧を変化させて、呼出操作のなされた他のカメラ付きドアホン子機の第１の電源電圧値に基づいて通話回路の起動制御をおこなう第一電源検出スイッチを制御し、呼出操作のなされた他のカメラ付きドアホン子機の通話回路を起動させるとともに、呼出操作のなされた他のカメラ付きドアホン子機に向けてバックトーン報知出力をおこなうものとなるので、給電回路が１つの場合においても、複数のカメラ付ドアホン子機に対してバックトーンを発生させることが出来、以て、簡単で小型の回路構成にてバックトーン報知を確実に行うことが出来て、給電回路を複数持つ方式に比して大幅に回路を低コスト化出来る。
【００４４】
また、請求項２記載のテレビドアホンシステムは、請求項１記載のものの効果に加え、バックトーン報知出力は、カメラ付きドアホン子機がテレビ付きインターホン親機を呼び出すための呼出スイッチの操作と連動し自己保持する第一電源検出スイッチを介して電源供給される通話回路が起動されておこなわれるものとなるので、テレビ付きインターホン親機からの供給電圧の上昇を待たずに、バックトーン報知出力のための切換回路を接続させることが可能となり、バックトーンの返送をより早く行うことができて呼出スイッチの操作の違和感のないものとなる。
【００４５】
また、請求項３記載のテレビドアホンシステムは、テレビ付きインターホン親機は、カメラ付きドアホン子機の一のカメラ付きドアホン子機との通話時において他のカメラ付きドアホン子機からの呼び出し信号を入力したときに、該他のカメラ付ドアホン子機への電源供給電圧を呼び出し待機状態の供給電圧を維持するとともに、該他のカメラ付きドアホン子機に向けてバックトーン報知出力をおこなうものとなるので、テレビ付きインターホン親機側にてバックトーン報知出力時に給電回路を切り替える必要がないため、制御プログラムが単純となって開発コストの低減が図れ、またさらに、テレビ付きインターホン親機側にバックトーン報知出力用に別の給電回路を用意する必要がなく、テレビ付きインターホン親機をより安価に構成することが出来る。
【図面の簡単な説明】
【図１】本発明の第１の実施の形態のテレビドアホンシステムの構成図である。
【図２】図１に示すテレビドアホンシステムの要部である、カメラ付きドアホン子機の第一電圧スイッチの構成図である。
【図３】図１に示すテレビドアホンシステムの要部である、テレビ付きインターホン親機の第二給電回路の構成図である。
【図４】第２の実施の形態のテレビドアホンシステムの構成図である。
【図５】テレビドアホンシステムの構成の説明図である。
【図６】従来例のテレビドアホンシステムの構成図である。
【符号の説明】
１（１Ａ、１Ｂ）  カメラ付きドアホン子機（カメラ子機）
１１２  映像回路
１２３  通話回路
１４  第一電圧スイッチ（第一電源検出スイッチ）
１５  第二電圧スイッチ（第二電源検出スイッチ）
１８  一定時間のみ通話回路を動作させ得る通話回路起動制御用の第一電源検出スイッチ
ＳＷ  呼出スイッチ
２    テレビ付きインターホン親機（テレビ親機）
Ｖ１  第１の電源電圧値
Ｖ２  第２の電源電圧値
Ｗ    ２線平衡ケーブル（２線ケーブル）
【図１】
0003752777.tif 000002
【図２】
0003752777.tif 000003
【図３】
0003752777.tif 000004
【図４】
0003752777.tif 000005
【図５】
0003752777.tif 000006
【図６】
0003752777.tif 000007